(57)【要約】【課題】低コストでリワークし易い構造をもたせた電子機器、プリント回路基板および電子部品を提供する。【解決手段】筐体（６）と、筐体（６）に収納されたプリント回路基板（１０）と、電子部品（１１）と、電子部品（１１）の外周の４隅のうち、少なくとも１つの隅で電子部品（１１）とプリント回路基板（１０）とに亘って塗布され、電子部品（１１）とプリント回路基板（１０）とを接合した接着部材（１３）と、電子部品（１１）の接着部材（１３）が塗布された隅で、少なくとも一部がプリント回路基板（１０）と電子部品（１１）との間に位置され、接着部材（１３）が塗布された隅をＬ字状に囲んで設けられた接着部材侵入防止用部品（１２）と、を有する。【選択図】図３
2010192939.tif 000002
【特許請求の範囲】
【請求項１】
筐体と、
前記筐体に収納されたプリント回路基板と、
電子部品と、
前記電子部品の外周の４隅のうち、少なくとも１つの隅で前記電子部品と前記プリント回路基板とに亘って塗布され、前記電子部品と前記プリント回路基板とを接合した接着部材と、
前記電子部品の前記接着部材が塗布された隅で、少なくとも一部が前記プリント回路基板と前記電子部品との間に位置され、前記接着部材が塗布された隅をＬ字状に囲んで設けられた接着部材侵入防止用部品と、
を有したことを特徴とする電子機器。
【請求項２】
前記接着部材は、前記接着部材侵入防止用部品の配置箇所に対応する部分に塗布されたことを特徴とする請求項１に記載の電子機器。
【請求項３】
前記電子部品および前記プリント回路基板と、前記接着部材侵入防止用部品との間の間隙を、半田で充填したことを特徴とする請求項１または請求項２に記載の電子機器。
【請求項４】
前記接着部材侵入防止用部品は、チップ部品であることを特徴とする請求項１乃至請求項３のいずれか１項に記載の電子機器。
【請求項５】
筐体と、
前記筐体に収納されたプリント回路基板と、
第１の部品と、
前記第１の部品の４つの角部に塗布され、前記第１の部品と前記プリント回路基板とを接合した接着部材と、
少なくとも一部が前記プリント回路基板と前記第１の部品との間に位置され、前記４つの角部で前記第１の部品の外周に沿うように複数配置されたことで、前記接着部材が前記プリント回路基板と前記第１の部品との間に流れ込むことを抑制した第２の部品と、
を有したことを特徴とする電子機器。
【請求項６】
前記接着部材は、前記第２の部品の配置箇所に対応する部分に塗布されたことを特徴とする請求項５に記載の電子機器。
【請求項７】
前記第１の部品および前記プリント回路基板と、前記第２の部品との間の間隙を、半田で充填することを特徴とする請求項５または請求項６に記載の電子機器。
【請求項８】
プリント回路基板上で、該プリント回路基板に実装された電子部品の外周に沿った４隅のうち、少なくとも１つの隅で、少なくとも一部が前記プリント回路基板と前記電子部品との間に位置され、前記少なくとも１つの隅をＬ字状に囲むように配列された接着部材侵入防止用部品を有したことを特徴とするプリント回路基板。
【請求項９】
外周に沿った４隅のうち、少なくとも１つの隅で、少なくとも一部が実装面上に位置され、前記少なくとも１つの隅をＬ字状に囲むように配列された接着部材侵入防止用部品を有したことを特徴とする電子部品。
【請求項１０】
筐体と、
前記筐体に収納されたプリント回路基板と、
電子部品と、
前記電子部品の外周に沿った４隅のうち、少なくとも１つの隅で前記電子部品と前記プリント回路基板とに亘って塗布され、前記電子部品と前記プリント回路基板とを接合した接着部材と、
前記プリント回路基板上で、前記少なくとも１つの隅に、少なくとも一部が前記プリント回路基板と前記ＢＧＡ型電子部品との間に位置され、前記少なくとも１つの隅を２つの長方形の本部品がＬ字状に囲むように配列された接着部材侵入防止用部品と、
を有したことを特徴とする電子機器。
【発明の詳細な説明】
【技術分野】
【０００１】
本発明は、電子機器およびプリント回路基板ならびに当該電子部品に関し、特には、ＢＧＡ、ＬＧＡ、ＣＳＰ等に代表される下面電極構造の電子部品を実装した電子機器およびプリント回路基板ならびに当該電子部品に関するものである。
【背景技術】
【０００２】
ＢＧＡ、ＬＧＡ、ＣＳＰ等に代表される下面電極構造の電子部品が登場して以来、様々な電子機器において、下面電極構造のパッケージの電子部品の採用は拡大している。この下面電極構造の電子部品を実装する場合、この電子部品を実装した後のプリント回路基板に対して外部ストレスがかかったときの接合破壊に対する防止策が必要とされる。この防止策として、従来では、１つの方法として、当該電子部品の周囲に補強用接着剤を塗布しプリント回路基板に固定する方法や、別法として、電子部品とこの電子部品を実装するプリント回路基板の間に補強板を設ける方法（特許文献１）等が用いられている。
【先行技術文献】
【特許文献】
【０００３】
【特許文献１】特開２００１−２９１７４５号公報
【発明の概要】
【発明が解決しようとする課題】
【０００４】
しかしながら、接着剤を用いてＢＧＡ等の電子部品を固定する方法では、接着剤が電子部品の実装面とプリント回路基板の部品実装面との間に流れ込むと、電子部品をプリント回路基板から取り外すことができかつプリント回路基板の再利用ができる、いわゆるリワークする際の「リペア性」が悪くなる。十分な補強強度をもたせる一方で、リペア性を向上させるには、電子部品とプリント回路基板の間に接着剤を侵入させないことが望ましい。また、特許文献１の技術のように、補強板を用いるのではコストがかかるなどの問題がある。
【０００５】
本発明は、上記に鑑みてなされたものであって、低コストでリワークし易い構造をもたせた電子機器、プリント回路基板および電子部品を提供することを目的とする。
【課題を解決するための手段】
【０００６】
上記の目的を達成するために、この発明においては、筐体と、前記筐体に収納されたプリント回路基板と、電子部品と、前記電子部品の外周の４隅のうち、少なくとも１つの隅で前記電子部品と前記プリント回路基板とに亘って塗布され、前記電子部品と前記プリント回路基板とを接合した接着部材と、前記電子部品の前記接着部材が塗布された隅で、少なくとも一部が前記プリント回路基板と前記電子部品との間に位置され、前記接着部材が塗布された隅をＬ字状に囲んで設けられた接着部材侵入防止用部品と、を有したことを特徴とする電子機器を提供する。
【０００７】
さらに、筐体と、前記筐体に収納されたプリント回路基板と、第１の部品と、前記第１の部品の４つの角部に塗布され、前記第１の部品と前記プリント回路基板とを接合した接着部材と、少なくとも一部が前記プリント回路基板と前記第１の部品との間に位置され、前記４つの角部で前記第１の部品の外周に沿うように複数配置されたことで、前記接着部材が前記プリント回路基板と前記第１の部品との間に流れ込むことを抑制した第２の部品と、を有したことを特徴とする電子機器を提供する。
【０００８】
さらに、プリント回路基板上で、該プリント回路基板に実装された電子部品の外周に沿った４隅のうち、少なくとも１つの隅で、少なくとも一部が前記プリント回路基板と前記電子部品との間に位置され、前記少なくとも１つの隅をＬ字状に囲むように配列された接着部材侵入防止用部品を有したことを特徴とするプリント回路基板を提供する。
【０００９】
さらに、外周に沿った４隅のうち、少なくとも１つの隅で、少なくとも一部が実装面上に位置され、前記少なくとも１つの隅をＬ字状に囲むように配列された接着部材侵入防止用部品を有したことを特徴とする電子部品を提供する。
【００１０】
さらに、筐体と、前記筐体に収納されたプリント回路基板と、電子部品と、前記電子部品の外周に沿った４隅のうち、少なくとも１つの隅で前記電子部品と前記プリント回路基板とに亘って塗布され、前記電子部品と前記プリント回路基板とを接合した接着部材と、前記プリント回路基板上で、前記少なくとも１つの隅に、少なくとも一部が前記プリント回路基板と前記ＢＧＡ型電子部品との間に位置され、前記少なくとも１つの隅を２つの長方形の本部品がＬ字状に囲むように配列された接着部材侵入防止用部品と、を有したことを特徴とする電子機器を提供する。
【発明の効果】
【００１１】
この発明によれば、実装されるプリント回路基板に対向する実装面に電極を有する電子部品と該電子部品を実装するプリント回路基板間の間隙への補強用接着剤の侵入を防ぐことができ、よって、低コストでリワークを容易にするという効果を奏する。
【図面の簡単な説明】
【００１２】
【図１】本発明の一実施形態にかかるノートＰＣの斜視図である。
【図２】同実施形態にかかるノートＰＣの筐体内を示す斜視図である。
【図３】同実施形態における第１の実施例としての電子部品１１の実装構造を示す側面図である。
【図４】同実施形態における第１の実施例としての電子部品１１の実装構造（特にチップ部品の配置）を示す上面図である。
【図５】同実施形態における第２の実施例としての電子部品１１の実装構造（特にチップ部品の配置）を示す上面図である。
【図６】同実施形態における第３の実施例としての電子部品１１の実装構造を示す側面図である。
【図７】同実施形態における第３の実施例としての電子部品１１の実装構造（特にチップ部品の配置）を示す上面図である。
【図８】同実施形態における第４の実施例としての電子部品１１の実装構造を示す側面図である。
【図９】同実施形態における第５の実施例としての電子部品１１の実装構造を示す側面図である。
【図１０】同実施形態における第５の実施例としての電子部品１１の実装構造（特にチップ部品の配置）を示す上面透視図である。
【図１１】同実施形態における第６の実施例としての電子部品１１の実装構造を示す側面図である。
【図１２】同実施形態における第６の実施例としての電子部品１１の実装構造（特にチップ部品の配置）を示す上面透視図である。
【図１３】同実施形態における第７の実施例としての電子部品１１の実装構造を示す側面図である。
【図１４】同実施形態における第７の実施例としての電子部品１１の実装構造（特に侵入防止用部品の配置）を示す上面図である。
【図１５】同実施形態における第８の実施例としての電子部品１１の実装構造を示す側面図である。
【図１６】同実施形態における第８の実施例としての電子部品１１の実装構造（特に侵入防止用部品の配置）を示す上面透視図である。
【発明を実施するための形態】
【００１３】
以下に添付図面を参照して、この発明にかかる電子機器、プリント回路基板および電子部品の最良な実施の形態を詳細に説明する。以下では、本発明にかかるプリント回路基板または下面電極構造の電子部品を実装した電子機器としてのノート型のパーソナルコンピュータの例を示す。但し、本発明は、パーソナルコンピュータに限られず、デジタルカメラ、ビデオカメラ、パーソナルデジタルアシスタント、テレビジョン受像器、録画機器など様々な電子機器に適用することができる。
【００１４】
はじめに、図１および図２を用いて、本発明の一実施形態であるノート型のパーソナルコンピュータ（以下、ノートＰＣとする）１の構成について説明する。図１は、本実施形態のノートＰＣの斜視図である。図２は、本実施形態のノートＰＣの筐体内を示す斜視図である。
【００１５】
本実施形態にかかるノートＰＣ１は、本体２と、表示ユニット３と、を備えている。
【００１６】
本体２は、本体ベース４と本体カバー５とを備えている。本体カバー５は、本体ベース４に上方から組み合わされる。本体ベース４と本体カバー５とが互いに協働することにより、本体２は箱状に形成されている筐体６を備える。
【００１７】
筐体６は、上壁６ａ、周壁６ｂ、および下壁６ｃを有する。上壁６ａは、キーボード７を支持している。周壁６ｂは、前周壁６ｂａ、後周壁６ｂｂ、左周壁６ｂｃ、および右周壁６ｂｄを有する。
【００１８】
表示ユニット３は、ディスプレイハウジング８と、このディスプレイハウジング８に収容されている液晶表示パネル９とを備える。液晶表示パネル９は、表示画面９ａを有する。表示画面９ａは、ディスプレイハウジング８の前面の開口部８ａを通じてディスプレイハウジング８の外部に露出されている。
【００１９】
表示ユニット３は、筐体６の後端部にヒンジ装置を介して支持されている。これにより、表示ユニット３は、上壁６ａを上方から覆うように倒される閉じ位置と、上壁６ａを露出させるように起立する開き位置と、の間で回動可能である。
【００２０】
また、筐体６は、基板１０およびＬＧＡ、ＢＧＡ、ＣＳＰ等に代表される下面電極構造の電子部品１１（以下、電子部品１１と略称）を収納している。図１では、簡単のため、１つの電子部品１１を図示しているが、通常、複数の電子部品が実装される。
【００２１】
基板（ＰＷＢ：プリント配線板）１０は、絶縁板の上に銅箔などの導電体で回路パターンが描かれたものであり、後述する電子部品１１やチップ部品１２等が搭載され、はんだ付け接続されることによりプリント回路基板として機能するものである。
【００２２】
電子部品１１は、基板１０との電気的接続にリードあるいはピンを用いることのない表面実装型電子部品であり、基板１０上に隣接して実装されている。
【００２３】
電子部品１１のパッケージとしては、ＢＧＡ、ＬＧＡ、ＣＳＰ等が挙げられる。ここで、ＢＧＡとは、パッケージの底面に半田ボール等のバンプをディスペンサで格子状に並べたものあり、表面実装で、リフロー半田付けをする場合に使われるパッケージ方式である。ＬＧＡは、半田ボール等のバンプなしの状態のパッケージ方式である。ＣＳＰとは、半導体チップのパッケージ方式の一種であり、チップの大きさと同様か、わずかに大きいサイズのパッケージ方式である。 
【００２４】
なお、電子部品１１としては、例えば、ＣＰＵ（Central Processing Unit）、ＧＰＵ（Graphics Processing Unit）等のＬＳＩが挙げられる。なお、電子部品１１は、これらに限定されるものではなく、各種の電子部品が該当するものとする。
【００２５】
接着剤である接着部材１３は、基板１０に実装されている電子部品１１の四隅（または対角２隅）近傍の外縁に沿ってＬ字状に塗布され、基板１０と電子部品１１とを接着している。接着部材１３は、電子部品１１の実装において、そのパッケージと基板１０とを接着する絶縁性の樹脂であり、ノートＰＣ１の落下衝撃や基板１０の曲げなどによる基板１０と電子部品１１の接合部であるバンプへの外部応力を緩和させることができる。
【００２６】
ここで、電子部品１１の各角部近傍の外縁に沿って接着部材１３を設けているのは、ノートＰＣ１の落下衝撃等による外部応力による影響を受けてクラックなどの接合不良を起こしやすい箇所が、最外周に配置されているバンプ、特に４隅に配置されているバンプだからである。よって、図１および図２に示す例では、電子部品１１の各角部（４隅）近傍の外縁に沿って接着部材１３を塗布しているが、電子部品１１の対角２角の近傍の外縁に沿って塗布するようにしてもよい。その場合も、同様の効果を得ることができる。もちろん、電子部品１１の外縁部全周を覆うように接着部材１３を塗布してもよい。
【００２７】
次に、電子部品１１の実装構造の諸実施例について、図面を用いて詳細に説明する。
【００２８】
（第１の実施例）
図３（側面図）および図４（上面図）に、第１の実施例としての電子部品１１の実装構造を示す。
【００２９】
図３（Ａ）に示すように、基板１０の所定位置（後述）にチップ部品１２が予め搭載されはんだ付けされている。チップ部品実装済みの基板１０に電子部品１１を搭載しＰＷＢ電極２１と半田ボール２２をリフロー半田付けした状態が、同図（Ｂ）となる。同図（Ｃ）は、補強用の接着部材１３を、さらに塗布した状態である。同図（Ｃ）に示すように、チップ部品１２によって、接着部材１３は、基板１０と電子部品１１の間の間隙への侵入を防止している。このように、チップ部品１２は、接着部材１３の上記間隙への侵入を防止するダムとして機能する。
【００３０】
なお、チップ部品１２は、リフロー後の基板１０と電子部品１１との間の間隙に収容できる高さをもつものとする。また、チップ部品１２としては、例えば、０４０２サイズや、０６０３サイズや、１００５サイズの抵抗、コンデンサ等の、低コストのチップ部品を使用することができる。また、チップ部品１２は、回路用部品としても利用することができ、例えば、チップ部品の抵抗は、ダンピング抵抗として使用することができる。
【００３１】
図４では、チップ部品１２の配置を示している。チップ部品１２が搭載される位置は、同図に示すように、基板１０上の、電子部品１１が搭載される部品実装面の領域（通常は四角の領域）２０の外周に沿った４隅であり、複数のチップ部品１２が、同図に示すようにＬ字状に配置される。また、このチップ部品１２を基板１０に電気的に接続し回路素子として機能させる場合には、チップ部品１２が搭載される基板１０上の位置まで配線がなされる。なお、各チップ部品間には、回路パターンの関係で、０．１５ｍｍ〜０．２５ｍｍの間隔が生じる。
【００３２】
上述のように、単に接着部材１３の上記間隙への侵入を防止するダムとして利用する場合には、基板１０上の配線は不要である。なお、接着部材１３は、図１または図２に示されるように、電子部品１１が搭載される基板１０上の領域２０のチップ部品１２が配置された部分の領域外側と、その近傍である電子部品１１の４隅の外周部分とをＬ字状に被覆するように塗布される。
【００３３】
（第２の実施例）
図５（上面図）に、第２の実施例としての電子部品１１の実装構造を示す。上述した第１の実施例では、チップ部品１２が搭載される位置が、基板１０上の、電子部品１１が搭載される領域２０の外周に沿った４隅としているが、本実施例では、図５（Ａ），（Ｂ）に示すように、電子部品１１が搭載される領域２０の外周に沿った４隅の内、対角の２隅のみにチップ部品１２を配置する。そして、接着部材１３の塗布も、第１の実施例に対して、この対角２隅の外周近傍のみに塗布するようにする。この例でも、接着部材１３の、基板１０と電子部品１１の間の間隙への侵入を防止できるとともに、所望の補強強度を得ることができる。
【００３４】
（第３の実施例）
図６（側面図）、図７（上面図）に、第３の実施例としての電子部品１１の実装構造を示す。上述した第１の実施例および第２の実施例では、チップ部品１２を、電子部品１１が搭載される領域２０の内側に、各チップ部品１２の全体が配置されるようにしているが、本実施例の実装構造は、各チップ部品１２の一部が、電子部品１１が搭載される領域２０の内側に配置され、残りの部分が、電子部品１１が搭載される領域２０の外側に配置されるようにした構造をもつ（図６、図７（Ａ）〜（Ｃ））。その他の点は、第１の実施例または第２の実施例と同様である。この例でも、接着部材１３の、基板１０と電子部品１１の間の間隙への侵入を防止できるとともに、所望の補強強度を得ることができる。
【００３５】
（第４の実施例）
図８（側面図）に、第４の実施例としての電子部品１１の実装構造を示す。第１の実施例にて前述した図３（Ｂ），（Ｃ）の例では、チップ部品１２は、このチップ部品１２と電子部品１１間にギャップ（間隙）が生じない高さをもつものとなっているが、チップ部品１２の高さによっては、チップ部品１２と電子部品１１間にギャップが生じる場合がある。また、同じ高さのチップ部品１２を用いることが好ましいが、複数種類のチップ部品１２を用いる場合でその種類による高さの違いがある。この高さの違いによっても、チップ部品１２と電子部品１１間にギャップが生じる。このギャップが生じる場合に、そのギャップに半田を充填させる構造としたのが本実施例である（図７）。その他については、前述の第１〜第３の実施例の場合と同様である。
【００３６】
（第５の実施例）
図９（側面図）、図１０（上面透視図）に、第５の実施例としての電子部品１１の実装構造を示す。前述の第１〜第４の実施例は、チップ部品１２を基板１０に予め搭載し半田付けした実装構造をもつが、本実施例は、電子部品１１の実装面外周部の四隅（図１０（Ａ））または対角２隅（図１０（Ｂ），（Ｃ））にチップ部品１２を予め接着剤等により固着させた実装構造をもたせた点に特徴がある。チップ部品１２は、電子部品１１のリフロー時に電子部品１１とともに基板１０に半田付け接続される。その他については、第１〜第４の実施例と同様である。このチップ部品１２を基板１０に電気的に接続し回路素子として機能させる場合には、チップ部品１２が搭載される基板１０上の位置まで配線がなされる。なお、各チップ部品間には、回路パターンの関係で、０．１５ｍｍ〜０．２５ｍｍの間隔が生じる。
【００３７】
本実施例も、同図（Ｃ）に示すように、チップ部品１２によって、接着部材１３は、基板１０と電子部品１１の間の間隙への侵入を防止でき、チップ部品１２は、接着部材１３の上記間隙への侵入を防止するダムとして機能する。なお、チップ部品１２は、電子部品１１側に予め固着されるので、チップ部品１２と電子部品１１との間にギャップは生じない。チップ部品１２の実装面と基板１０の電極側にギャップが生じる場合は、半田により充填される。
【００３８】
（第６の実施例）
図１１（側面図）、図１２（上面透視図）に、第６の実施例としての電子部品１１の実装構造を示す。上述した第５の実施例では、チップ部品１２を、電子部品１１の実装面外周の４隅部分または対角２隅部分の内側に、各チップ部品１２の全体が配置されるように固着させているが、本実施例の実装構造は、各チップ部品１２の一部が、電子部品１１の実装面外周の４隅部分または対角２隅部分の内側に固着され、残りの部分が、外側にはみ出るように配置されるようにした構造をもつ（図１１、図１２（Ａ）〜（Ｃ））。その他の点は、第５の実施例と同様である。この例でも、接着部材１３の、基板１０と電子部品１１の間の間隙への侵入を防止できるとともに、所望の補強強度を得ることができる。
【００３９】
（第７の実施例）
図１３（側面図）、図１４（上面図）に、第７の実施例としての電子部品１１の実装構造を示す。図１３（Ａ）に示すように、基板１０の所定位置（後述）に接着部材１３の侵入を防止するための木材や金属等からなる侵入防止用部品１２’が予め搭載されその材質に応じて接着剤による接着やランドへの半田付けにより固着されている。侵入防止用部品実装済みの基板１０に電子部品１１を搭載しＰＷＢ電極２１と半田ボール２２をリフロー半田付けした状態が、同図（Ｂ）となる。同図（Ｃ）は、補強用の接着部材１３を、さらに塗布した状態である。同図（Ｃ）に示すように、侵入防止用部品１２’によって、接着部材１３は、基板１０と電子部品１１の間の間隙への侵入を防止している。このように、侵入防止用部品１２’は、接着部材１３の上記間隙への侵入を防止するダムとして機能する。なお、チップ部品１２は、リフロー後の基板１０と電子部品１１との間の間隙に収容できる高さをもつものとする。
【００４０】
図１４では、侵入防止用部品１２’の配置を示している。侵入防止用部品１２’が搭載される位置は、同図に示すように、基板１０上の、電子部品１１が搭載される部品実装面の領域（通常は四角の領域）２０の外周に沿った４隅または対角２隅であり、侵入防止用部品１２’が、同図に示すように上記４隅または対角２隅に、電子部品１１が搭載される領域２０の辺に対し斜めに配置される。この侵入防止用部品１２’は、上述のように、単に接着部材１３の上記間隙への侵入を防止するダムとして利用される。
【００４１】
なお、接着部材１３は、図１または図２に示されるように、基板１０上の電子部品１１が搭載される領域２０の侵入防止用部品１２’が配置された部分の外側と、その近傍である電子部品１１の４隅または対角２隅の外周部分とを被覆するように塗布される。また、図１４に示した例では、侵入防止用部品１２’を、短冊状の形状をもつ部品として示しているが、これに限らず、前述の第１〜第４の実施例で示したチップ部品１２の配置形状に相当するＬ字型形状としても、その他の形状であってもよい。また、その配置は、図１４の例に示すように一部が電子部品１１の搭載される領域２０内にあっても、全体が領域２０内にあるようにしてもよい。また、侵入防止用部品１２’の高さは、リフロー後の基板１０と電子部品１１の間の間隙に収容できる高さをもつものとするが、電子部品１１の下面との間にギャップが生じない程度の高さが好ましい。
【００４２】
（第８の実施例）
図１５（側面図）に、第８の実施例としての電子部品１１の実装構造を示す。前述の第６の実施例は、侵入防止用部品１２’を基板１０に予め固着させた実装構造をもつが、本実施例は、電子部品１１の実装面外周部に侵入防止用部品１２’を予めその材質に応じた接着剤等により固着させた実装構造をもたせた点に特徴がある。
【００４３】
本実施例も、同図（Ｃ）に示すように、侵入防止用部品１２’によって、接着部材１３は、基板１０と電子部品１１の間の間隙への侵入を防止する。本実施例による実装構造においても、侵入防止用部品１２’は、接着部材１３の上記間隙への侵入を防止するダムとして機能する。なお、侵入防止用部品１２’は、電子部品１１側に予め固着されるので、チップ部品１２と電子部品１１との間にギャップは生じない。侵入防止用部品１２’の高さは、リフロー後の基板１０と電子部品１１の間の間隙に収容できる高さをもつものとするが、電子部品１１の実装面との間にギャップが生じない程度の高さが好ましい。
【００４４】
図１６（上面透視図）では、侵入防止用部品１２’の配置を示している。侵入防止用部品１２’が固着される位置は、同図に示すように、電子部品１１の実装面外周の４隅または対角２隅であり、侵入防止用部品１２’が、同図に示すように上記４隅または対角２隅に、電子部品１１の各辺に対し斜めに配置される。図１６の例では、侵入防止用部品１２’の一部が電子部品１１の実装面にあり、残りが外側にはみ出ているが、侵入防止用部品１２’の全体が電子部品１１の実装面にあるようにしてもよい。この侵入防止用部品１２’は、上述のように、単に接着部材１３の上記間隙への侵入を防止するダムとして利用されるので、侵入防止用部品１２’に対する基板１０上の配線は不要である。
【００４５】
以上の諸実施例において説明したように、チップ部品１２または侵入防止用部品１２’を、基板１０または電子部品１１に設けたことで、接着部材１３の、基板１０と電子部品１１の間の間隙への侵入を防止することできる。その結果、リワークを容易にすることができる。特に、チップ部品１２として、低コストの抵抗やコンデンサ等のチップ部品を用いることで、低コストに実施することができる。
【符号の説明】
【００４６】
１…パーソナルコンピュータ、２…本体、３…表示ユニット、４…本体ベース、５…本体カバー、６…筐体、６ａ…上壁、６ｂ…周壁、６ｃ…下壁、６ｂａ…前周壁、６ｂｂ…後周壁、６ｂｃ…左周壁、６ｂｄ…右周壁、７…キーボード、８…ディプレイハウジング、８ａ…開口部、９…液晶表示パネル、９ａ…表示画面、１０…基板、１１…電子部品、１２…チップ部品、１２’…侵入防止用部品、１３…接着部材、２１…ＰＷＢ電極、２２…半田ボール
【図１】
2010192939.tif 000003
【図２】
2010192939.tif 000004
【図３】
2010192939.tif 000005
【図４】
2010192939.tif 000006
【図５】
2010192939.tif 000007
【図６】
2010192939.tif 000008
【図７】
2010192939.tif 000009
【図８】
2010192939.tif 000010
【図９】
2010192939.tif 000011
【図１０】
2010192939.tif 000012
【図１１】
2010192939.tif 000013
【図１２】
2010192939.tif 000014
【図１３】
2010192939.tif 000015
【図１４】
2010192939.tif 000016
【図１５】
2010192939.tif 000017
【図１６】
2010192939.tif 000018